(57)【特許請求の範囲】
【請求項１】
浴室内に固定される浴室テレビ装置であって、水密に封止されたケーシング内に、テレビ画像を表示する液晶表示部を備えたものにおいて、ケーシング外から水道水の供給を受けてケーシング内を冷却する水冷パックを備えたことを特徴とする浴室テレビ装置。
【請求項２】
上記水冷パック内の水道水を浴室内に排水するように構成したことを特徴とする請求項１に記載の浴室テレビ装置。
【請求項３】
水冷パックの上流側に、浴室テレビ装置からの信号により開閉する電磁開閉弁を設けたことを特徴とする請求項１または請求項２に記載の浴室テレビ装置。
【発明の詳細な説明】
【技術分野】
【０００１】
本発明は、浴室の壁面に固定される浴室テレビ装置に関する。
【背景技術】
【０００２】
浴室内でテレビ画面を鑑賞するため、浴室の壁面に固定される浴室テレビ装置が多数提案されている。これら浴室テレビ装置は、浴室内という特殊な環境で使用されるため、内部に水分が侵入しないように水密構造のケーシングを備えている。一方、これらの浴室テレビ装置では、画像を表示するため液晶表示部が内蔵されているが、大画面の要請により画面が大きくなるにつれて、ケーシング内での発熱量が急激に増加している。
【０００３】
シーシングは上述のように水密であるため、空冷式の冷却手段を内蔵させても十分な冷却効果を得ることは難しい。
【０００４】
なお、液晶表示部に冷却水を封止して、冷却水を冷媒として熱を液晶表示部から他所に移動させ、そこで放熱するようにしたものは知られている（例えば、特許文献１参照）。
【特許文献１】特開２００５−７０４３９号公報（図６）
【発明の開示】
【発明が解決しようとする課題】
【０００５】
上記従来のものでは液体の冷媒を用いているものの、冷媒が液晶表示部から奪った熱量は空気中に放熱しなければならず、浴室に固定される浴室テレビ装置のケーシング内の冷却には使用することができない。
【０００６】
なお、冷媒をケーシング外に引き出して放熱させることも考えられるが、放熱させた冷媒を再びケーシング内の戻し、冷媒を循環させる機構を設けなければならず、冷却のための機構が大がかりなものになり、コスト高を招くばかりか設置場所を確保しなければならないという不具合が生じる
【０００７】
そこで本発明は、上記の問題点に鑑み、大がかりな機構を用いることなく、浴室テレビ装置のケーシング内を冷却することのできる浴室テレビ装置を提供することを課題とする。
【課題を解決するための手段】
【０００８】
上記課題を解決するために本発明による浴室テレビ装置は、浴室内に固定される浴室テレビ装置であって、水密に封止されたケーシング内に、テレビ画像を表示する液晶表示部を備えたものにおいて、ケーシング外から水道水の供給を受けてケーシング内を冷却する水冷パックを備えたことを特徴とする。
【０００９】
浴室には必ず水道の配管がされている。その水道の配管から水道水をケーシング内の水冷パックに導くことにより、循環ポンプなどの機構を設けなくてもケーシング内を冷却することができる。
【００１０】
なお、水冷パック内の水を排水する場合、浴室外に排水してもよいが、浴室内は排水が可能な構造であるので、浴室外への排水経路を設けることなく、浴室内に排水しても全く問題ない。
【００１１】
また、水冷パックには常に水道水を流す必要はなく、例えばケーシング内の温度状況等に応じて断続的に流せばよい。そこで、水冷パックの上流側に、浴室テレビ装置からの信号により開閉する電磁開閉弁を設けることが望ましい。
【発明の効果】
【００１２】
以上の説明から明らかなように、本発明は、浴室テレビ装置のケーシング内部を水道水を用いて水冷するので、循環ポンプや放熱部などを設けなくてもよく、また、浴室テレビ装置が浴室に設置されることから、容易に水道水を利用することができる。
【発明を実施するための最良の形態】
【００１３】
図１を参照して、１は本発明による浴室テレビ装置であり、浴室の壁面ＢＲに固定されている。浴室の壁面ＢＲに固定して使用されるため、浴室テレビ装置１のケーシングは水密構造を採用している。
【００１４】
図２を参照して、浴室テレビ装置１のケーシングは壁面ＢＲに固定される基部２１と、この基部２１に接合されるフロント部２２とで構成されている。基部２１およびフロント部２２は共に樹脂製であり、両者の接合面に発熱線を挟み込み、この発熱線に通電して基部２１およびフロント部２２の両接合面を溶融させ、相互に押し付けることにより水密性を確保している。なお、２４は着脱自在の化粧カバーである。
【００１５】
なお、基部２１とフロント部２２とを相互に溶着させる前に、液晶表示部２３を備えた基板と水冷パック３とをケーシングに内蔵されるようにセットした。水冷パック３は２枚の軟質樹脂シートを、内部に通水路が形成されるように相互に熱溶着させたもので、その通水路の一端に流入管３１を接続し、他端に流出管３２を接続した。流入管３１および流出管３２は基部２１に設けた連絡穴から外部へと導出した。
【００１６】
図３を参照して、４は水道管であり、浴室内に設けたカラン４１に接続され、カラン４１に水道水を供給するものである。この水道管４に流入管３１を接続した。また流出管３２は浴室外の適宜排水が行える場所まで延設した。
【００１７】
流入管３１の途中には電磁式の開閉バルブ５を設けた。この開閉バルブ５は通電されていない状態では閉弁しており、閉弁状態であれば水道管４内の水道水は流入管３１を通って水冷パックに流入しない。
【００１８】
この開閉バルブ５は浴室テレビ装置１内の制御部２５に接続されており、制御部２５から開閉バルブ５に通電するように構成した。この制御部２５には図示しない温度検知手段が設けられており、ケーシング内の温度が所定の温度を超えると一定時間開閉バルブを開弁するように構成した。なお、温度検知手段を設けず、液晶テレビ装置１が通電されている間は定期的に開閉バルブ５を開弁するように構成してもよい。
【００１９】
開閉バルブ５が開弁すると、水道管４内の水道水が流入管３１を通って水冷パック３の通水路内に流入する。そして、流出管３２から適宜の場所に排水される。水道水が水冷パック３内を流れることによって水冷パック３の通水炉内には低温の水道水が満たされるので、ケーシング内の熱を水道水が吸熱し、ケーシング内が冷却される。
【００２０】
ところで、流出管３２を浴室の外部に延設してもよいが、図４に示すように、フロント部２２を通して排水管６に流出管３２を接続し、配水管６を通して水冷パック３から出てくる水道水を浴室内に排水するようにしてもよい。また、水冷パック３の通水路に流す水道水の流量がそれほど多くない場合には、排水管６を用いずに、壁面ＢＲに伝わせて排水するようにしてもよい。
【００２１】
なお、図３では開閉バルブ５を用いたが、図５に示すように、流入管３１を水道管４の上流側に接続し、流出管３２を水道管４の下流側、例えばカラン４１の近傍に接続してもよい。このように構成すると、排水をすることなく、冷却後の水道水をカラン４１から吐出させることができる。また、開閉バルブ５等を設けることなく、カラン４１が開く毎に水冷パック３に水道水を流すことができる。
【００２２】
なお、本発明は上記した形態に限定されるものではなく、本発明の要旨を逸脱しない範囲内において種々の変更を加えてもかまわない。
【図面の簡単な説明】
【００２３】
【図１】本発明の一実施の形態の構成を示す図
【図２】浴室テレビ装置の分解図
【図３】水冷パックの配管図
【図４】排水の他の構成を示す図
【図５】水冷パックの他の配管を示す図
【符号の説明】
【００２４】
１  浴室テレビ装置
３  水冷パック
４  水道管
３１  流入管
３２  流出管
４１  カラン
【図１】
0004556037.tif 000002
【図２】
0004556037.tif 000003
【図３】
0004556037.tif 000004
【図４】
0004556037.tif 000005
【図５】
0004556037.tif 000006